(57)【要約】【課題】安定した電力の供給に貢献すること。【解決手段】電力系統１１を通じて供給される電力を複数の需要先で共有し、各需要先が受電した電力を各々の電力供給先に供給する充電システムにおいて、電力価格を定めた電力価格スケジュールを管理する管理装置１３と、需要先に設けられ、管理装置１３と通信回線１６を通じて通信可能な制御装置２３と、を備える。需要先の一つである電気車両用の充電ステーション２０の制御装置２３は、電力価格スケジュールを電力供給スケジュールに変換し、その電力供給スケジュールにしたがって充電装置２５へ分配する電力の制御を行う。電力供給スケジュールは、充電ステーション２０全体で供給可能な時間帯毎の電力の上限を、電力価格スケジュールに定められる時間帯毎の電力価格の高低に応じて算出したものである。【選択図】図２
2015122868.tif 000002
【特許請求の範囲】
【請求項１】
電力系統を通じて供給される系統電力を複数の需要先で共有し、各需要先が受電した電力を各々の電力供給先に供給する充電システムであって、
電力価格を定めた電力価格スケジュールを管理する管理装置と、
需要先に設けられ、前記管理装置と通信回線を通じて通信可能な制御装置と、を備え、
前記複数の需要先には、電気車両に搭載された蓄電池を充電する電気車両用の充電ステーションを含み、
前記充電ステーションには、前記電気車両の蓄電池に電力を供給する１以上の充電装置を含み、
前記充電ステーションの前記制御装置は、前記管理装置から送信された前記電力価格スケジュールを電力供給スケジュールに変換し、その電力供給スケジュールにしたがって前記充電装置へ分配する電力の制御を行い、
前記電力供給スケジュールは、前記充電ステーション全体で供給可能な時間帯毎の電力の上限を、前記電力価格スケジュールに定められる時間帯毎の電力価格の高低に応じて算出したものであることを特徴とする充電システム。
【請求項２】
前記制御装置は、実際に供給した電力の情報を前記管理装置に送信し、
前記管理装置は、受信した前記電力の情報をもとに前記電力価格スケジュールを算出する請求項１に記載の充電システム。
【請求項３】
前記充電装置は、前記電力価格と供給した電力をもとに算出される電力料金が利用者の指定した料金に達したことを契機に電力の供給を停止させる請求項１又は請求項２に記載の充電システム。
【請求項４】
電力系統を通じて供給される系統電力を充電用の電力として電気車両に搭載された蓄電池に供給し、充電する電気車両用の充電ステーションであって、
前記電気車両の蓄電池に電力を供給する１以上の充電装置と、
前記充電装置が供給する電力を制御する制御装置と、を備え、
前記制御装置には、通信回線を通じて外部の管理装置と通信する通信部を含み、
前記通信部は、電力価格を定めた電力価格スケジュールを前記管理装置から受信し、
前記制御装置は、前記電力価格スケジュールを電力供給スケジュールに変換し、その電力供給スケジュールにしたがって前記充電装置へ分配する電力の制御を行い、
前記電力供給スケジュールは、前記充電ステーション全体で供給可能な時間帯毎の電力の上限を、前記電力価格スケジュールに定められる時間帯毎の電力価格の高低に応じて算出したものであることを特徴とする電気車両用の充電ステーション。
【請求項５】
前記制御装置は、実際に供給した電力の情報を前記管理装置に送信し、
前記管理装置は、受信した前記電力の情報をもとに前記電力価格スケジュールを算出する請求項４に記載の電気車両用の充電ステーション。
【請求項６】
前記充電装置は、前記電力価格と供給した電力をもとに算出される電力料金が利用者の指定した料金に達したことを契機に電力の供給を停止させる請求項４又は請求項５に記載の電気車両用の充電ステーション。
【発明の詳細な説明】
【技術分野】
【０００１】
本発明は、電力系統を通じて供給される系統電力を複数の需要先で共有し、各需要先が受電した電力を各々の電力供給先に供給する充電システム、及び充電システムの需要先になるとともに、電気車両に搭載された蓄電池に電力を供給し、充電する電気車両用の充電ステーションに関する。
【背景技術】
【０００２】
電力系統を通じて供給される電力を複数の需要先で共有する場合には、それぞれの需要先に分配される電力の合計が需給契約上の電力を超過しないように管理する必要がある。例えば、特許文献１には、工場や企業の事業所などにおいて電力を管理する給電システムが開示されている。
【先行技術文献】
【特許文献】
【０００３】
【特許文献１】特開２０１２−２４９５０５号公報
【発明の概要】
【発明が解決しようとする課題】
【０００４】
ところで、近年においては、ＥＶ（Ele ctric Vehicle）やＰＨＶ（Plug in Hybrid Vehicle）などの電気車両が普及しており、これらの電気車両の利用者の利便性を図るために、例えば工場などの施設内に充電装置を設置することが行われている。このように充電装置を設置した場合は充電に必要な電力を新たに確保しなければならない。
【０００５】
しかしながら、電力系統を通じて供給される電力の供給量は有限である。このため、電気車両の普及に伴い、安定して電力を供給できる仕組みを作る必要性がある。
この発明は、このような従来の技術に存在する問題点に着目してなされたものであり、その目的は、安定した電力の供給に貢献し得る充電システム、及び電気車両用の充電ステーションを提供することにある。
【課題を解決するための手段】
【０００６】
上記課題を解決する充電システムは、電力系統を通じて供給される系統電力を複数の需要先で共有し、各需要先が受電した電力を各々の電力供給先に供給する充電システムであって、電力価格を定めた電力価格スケジュールを管理する管理装置と、需要先に設けられ、前記管理装置と通信回線を通じて通信可能な制御装置と、を備え、前記複数の需要先には、電気車両に搭載された蓄電池を充電する電気車両用の充電ステーションを含み、前記充電ステーションには、前記電気車両の蓄電池に電力を供給する１以上の充電装置を含み、前記充電ステーションの前記制御装置は、前記管理装置から送信された前記電力価格スケジュールを電力供給スケジュールに変換し、その電力供給スケジュールにしたがって前記充電装置へ分配する電力の制御を行い、前記電力供給スケジュールは、前記充電ステーション全体で供給可能な時間帯毎の電力の上限を、前記電力価格スケジュールに定められる時間帯毎の電力価格の高低に応じて算出したものである。
【０００７】
また、上記課題を解決する電気車両用の充電ステーションは、電力系統を通じて供給される系統電力を充電用の電力として電気車両に搭載された蓄電池に供給し、充電する電気車両用の充電ステーションであって、前記電気車両の蓄電池に電力を供給する１以上の充電装置と、前記充電装置が供給する電力を制御する制御装置と、を備え、前記制御装置には、通信回線を通じて外部の管理装置と通信する通信部を含み、前記通信部は、電力価格を定めた電力価格スケジュールを前記管理装置から受信し、前記制御装置は、前記電力価格スケジュールを電力供給スケジュールに変換し、その電力供給スケジュールにしたがって前記充電装置へ分配する電力の制御を行い、前記電力供給スケジュールは、前記充電ステーション全体で供給可能な時間帯毎の電力の上限を、前記電力価格スケジュールに定められる時間帯毎の電力価格の高低に応じて算出したものである。
【０００８】
この構成によれば、電力価格スケジュールを変換した電力供給スケジュールにしたがうように充電ステーションの制御装置が、充電装置へ分配する電力の制御を行う。このため、系統電力を複数の需要先で共有する場合において、充電ステーションに供給される電力の占める割合が極端に大きくなるような事態の発生を抑制できる。したがって、安定した電力の供給に貢献できる。
【０００９】
上記した充電システム、及び電気車両用の充電ステーションにおいて、前記充電ステーションの前記制御装置は、実際に供給した電力の情報を前記管理装置に送信し、前記管理装置は、受信した前記電力の情報をもとに前記電力価格スケジュールを算出すると良い。この構成によれば、電力需要の傾向をもとに電力価格スケジュールを算出し、その電力価格スケジュールをもとに変換された電力供給スケジュールにしたがって充電ステーションの制御装置が、充電装置へ分配する電力の制御を行う。このため、系統電力を複数の需要先で共有する場合において実際の電力需要の傾向に応じた電力の分配を行うことができる。
【００１０】
上記した充電システム、及び電気車両用の充電ステーションにおいて、前記充電装置は、前記電力価格と供給した電力をもとに算出される電力料金が利用者の指定した料金に達したことを契機に電力の供給を停止させると良い。この構成によれば、電力価格スケジュールに応じて時間帯毎の電力価格が変動する場合であっても、利用者の利便性を図った充電の制御を行うことができる。
【発明の効果】
【００１１】
本発明によれば、安定した電力の供給に貢献できる。
【図面の簡単な説明】
【００１２】
【図１】充電システムの構成を示すブロック図。
【図２】充電ステーションの構成を示すブロック図。
【図３】電力価格スケジュールを例示する説明図。
【図４】電力供給スケジュールを例示する説明図。
【図５】変換ステップを説明する説明図。
【発明を実施するための形態】
【００１３】
以下、充電システム及び電気車両用の充電ステーションを具体化した一実施形態を図１〜図５にしたがって説明する。
図１に示すように、充電システム１０は、電力系統１１を通じて供給される系統電力を受電する複数の需要先１２ａ〜１２ｄと、これらの需要先１２ａ〜１２ｄの電力需要を管理する管理装置１３と、を備えている。電力系統１１は、電力を送電するための送電システムである。
【００１４】
各需要先１２ａ〜１２ｄは、例えば図１において需要先１２ａに代表して図示するように、電力系統１１を通じて受電した系統電力を各々の電力供給先１４ａ，１４ｂに分配して供給する。需要先１２ａ〜１２ｄの電力供給先は、単数でも良いし、複数でも良い。
【００１５】
管理装置１３は、通信部１５を有し、通信事業者などが提供する通信回線１６を通じて各需要先１２ａ〜１２ｄと通信可能とされている。また、管理装置１３及び各需要先１２ａ〜１２ｄは、送電線１７を介して電力系統１１と接続されている。
【００１６】
図２に示すように、充電システム１０を構成する需要先の例として、電気車両用の充電ステーション２０が挙げられる。電気車両２１には、当該電気車両２１の原動機となる図示しない電動機（モータ）などへ供給する電力を蓄える蓄電池２２が搭載されている。蓄電池２２は、充電ステーション２０から供給される電力が充電に適した形態に変換され、その変換後の電力によって充電される。
【００１７】
充電ステーション２０は、電気車両２１の蓄電池２２へ供給する電力を制御する制御装置２３と、充電時に充電プラグ２４を介して電気車両２１へ接続される充電装置２５と、を備えている。制御装置２３は、通信部２６を有し、通信回線１６を通じて管理装置１３と通信可能とされている。充電装置２５は、電気車両２１の蓄電池２２を充電するための充電用の電力を供給する。図２の充電ステーション２０は、図示の都合上、３台の充電装置２５を示しているが、充電ステーション２０が保有する充電装置の台数は１台でも良いし、２台でも良いし、あるいは４台以上でも良い。
【００１８】
充電ステーション２０には、送電線１７により、電力系統１１からの電力を各充電装置２５に送電する送電路が構築されている。また、制御装置２３と各充電装置２５は、信号線２７を介して接続されている。充電プラグ２４には、充電用の電力を送電するための電力線と、充電装置２５と電気車両２１との間で信号を送受信するための信号線と、が内蔵されている。各充電装置２５は、充電時、電力系統１１から送電された電力を電気車両２１の蓄電池２２の充電に適した形態に変換し、充電プラグ２４を通じて電気車両２１に供給する。また、充電ステーション２０には、各充電装置２５が電気車両２１に供給している電力を計測する電力計２８が備えられている。電力計２８の計測結果は、制御装置２３に送信される。
【００１９】
この実施形態において制御装置２３は、充電ステーション２０全体で供給可能な充電用の電力のピーク値を越えないようにピーク電力制御を行う。制御装置２３は、ピーク電力制御において、充電対象とする電気車両２１が接続されている充電装置２５に分配する電力を、その電力の合計がピーク値を越えないように決定する。各充電装置２５は、制御装置２３が決定した電力にしたがって電気車両２１に電力を供給し、充電を行う。
【００２０】
各充電装置２５に分配する電力は、同時に充電する車両数などに応じて可変される。例えば、充電対象の車両数が多い場合などは、充電装置２５に分配する充電用の電力を、車両数が少ない場合よりも少なくする。また、充電対象とする電気車両２１の中に充電電流を可変制御できる電気車両２１が存在する場合は、当該電気車両２１の充電を行う充電装置２５へ分配する電力を可変させ、充電ステーション２０全体として供給する電力がピーク値を越えないように制御を行う。
【００２１】
以下、充電システム１０及び充電ステーション２０の制御内容を作用とともに説明する。
充電システム１０の管理装置１３は、電力価格を定めた電力価格スケジュールを管理する。
【００２２】
図３に示すように、電力価格スケジュールは、日付情報と、時間帯情報と、電力価格情報と、から構成されている。日付情報は、電力価格スケジュールで提示した電力価格を適用する日付を特定する。時間帯情報は、電力価格スケジュールで提示した電力価格を適用する時間帯を特定する。電力価格情報は、時間帯において適用する電力価格を特定する。例えば、図３に示す電力価格スケジュールでは、「○○○○年△△月□□日」の「０時００分〜０時３０分」の電力価格が「Ｘ１（円／ｋＷｈ）」であり、「０時３０分〜１時００分」の電力価格が「Ｘ２（円／ｋＷｈ）」である。電力価格は、時間帯によって異なる価格となる場合や、同じ価格となる場合がある。図３の電力価格スケジュールは、２４時間を３０分単位で区切り、３０分毎の電力価格Ｘ１〜Ｘ４８を例示している。
【００２３】
電力価格スケジュールにおける時間帯毎の電力価格は、電力需要の傾向をもとに定められる。つまり、電力価格は、電力需要の増減に合わせて変動する価格である。そして、電力価格は、例えば実際の電力需要をもとに変動させても良い。この場合は、例えば、電力需要が急激に増加した場合など発電量（供給量）と需要量のバランスが崩れたときに、電力価格を高く変動させる。また、電力価格は、過去の電力需要のデータや、その過去のデータと電力需要を変動させる要因となるデータ（例えば、季節や気象など）をもとに予測された情報でも良い。これにより、例えば、電力需要の多い時間帯の電力価格は、他の時間帯の電力価格よりも高く設定される場合がある。
【００２４】
管理装置１３は、電力価格スケジュールを充電ステーション２０の制御装置２３に送信する。なお、電力価格スケジュールは、１日分のスケジュールでも良いし、数日分のスケジュールでも良い。
【００２５】
一方、充電ステーション２０の制御装置２３は、電力価格スケジュールを受信すると、その電力価格スケジュールを電力供給スケジュールに変換する。電力供給スケジュールは、充電ステーション２０全体で供給可能な時間帯毎の電力の上限を、電力価格スケジュールに定められる時間帯毎の価格の高低に応じて算出したものである。充電ステーション２０全体で供給可能な時間帯毎の電力の上限は、充電ステーション２０に設置されている充電装置２５によって供給可能な電力の合計である。また、充電ステーション２０全体で供給可能な電力は、充電用の電力として供給される電力である。
【００２６】
図４に示すように、電力供給スケジュールは、日付情報と、時間帯情報と、上限電力情報と、から構成されている。日付情報は、電力供給スケジュールで提示した上限電力を適用する日付を特定する。時間帯情報は、電力供給スケジュールで提示した上限電力を適用する時間帯を特定する。上限電力情報は、時間帯において適用する上限電力を特定する。例えば、図４に示す電力供給スケジュールは、「○○○○年△△月□□日」の「０時００分〜０時３０分」の上限電力が「Ｙ１（ｋｗ）」であり、「０時３０分〜１時００分」の上限電力が「Ｙ２（ｋｗ）」である。上限電力は、時間帯によって異なる値となる場合や、同じ値となる場合があり、電力価格に依存する。つまり、上限電力の変動は、電力価格の変動に一致する。図４の電力供給スケジュールは、図３の電力価格スケジュールに対応させて、２４時間を３０分単位で区切り、３０分毎の上限電力Ｙ１〜Ｙ４８を例示している。
【００２７】
上限電力の大小は、電力価格の高低に対応付けられる。具体的に言えば、電力価格が高いほど上限電力が小さくなるように変換される。この変換により、電力価格が高い時間帯、すなわち電力需要が増加する傾向にある時間帯は供給可能な電力を下げることによって充電ステーション２０が充電に利用する電力を少なくする。一方で、この変換により、電力価格が安い時間帯、すなわち電力需要が減少する傾向にある時間帯は供給可能な電力を上げることによって充電ステーション２０が充電に利用する電力を多くする。
【００２８】
以下、図５にしたがって、電力価格スケジュールから電力供給スケジュールへ変換する一例を記載する。なお、電力供給スケジュールの変換は、制御装置２３が行う。
制御装置２３は、変換ステップＳ１において、電力価格の平均μを式１にしたがって算出する。次に、制御装置２３は、変換ステップＳ２において、電力価格の標準偏差σ（正の値）を式２にしたがって算出する。次に、制御装置２３は、変換ステップＳ３において、電力価格を正規化した値Ｓを式３にしたがって算出する。そして、最後に、制御装置２３は、変換ステップＳ４において、電力値Ｄを式４にしたがって算出する。式４のα，βは定数であり、例えば充電ステーション２０の保有者の要望や充電ステーション２０の仕様（ブレーカの容量など）を考慮して定めることができる。
【００２９】
αを大きくした場合は、時間帯に応じて供給可能な電力の差が大きくなる。つまり、充電ステーション２０全体で供給可能な電力を、時間帯に応じて大きく変化させることができる。一方、αを小さくした場合は、時間帯に応じて供給可能な電力の差が小さくなる。つまり、充電ステーション２０全体で供給可能な電力は、どの時間帯でも、大きな差が生じ得ない。
【００３０】
電力価格スケジュールを電力供給スケジュールへ変換した制御装置２３は、電力供給スケジュールにしたがって時間帯毎の電力の上限をピーク電力値に設定し、各充電装置２５へ分配する分配電力値を算出する。例えば、図４の電力供給スケジュールを用いる場合、制御装置２３は、「０時００分〜０時３０分」の上限電力が「Ｙ１」であることから、ピーク電力値を「Ｙ１」に設定し、この「Ｙ１」を上限として分配電力値を算出する。分配電力値を算出する際、制御装置２３は、ピーク電力値を越えない範囲で、充電を行っている充電装置２５に対して電力を均等に配分し、その電力分を分配電力値としても良い。また、制御装置２３は、例えば予め定めた優先順位などにしたがって、分配電力値に差を設けても良い。そして、制御装置２３は、算出した分配電力値を充電装置２５に指示する。各充電装置２５は、指示された分配電力値をもとに、充電対象とする電気車両２１の蓄電池２２へ電力を供給し、充電を行う。
【００３１】
なお、制御装置２３は、同じ時間帯において、充電を行っている充電装置２５の台数に増減が生じると、ピーク電力値を越えない範囲で分配電力値を、再度算出し、充電装置２５へ指示する。これにより、充電を行っている充電装置２５が供給可能な電力は、充電を行っている充電装置２５の台数の増減に応じて変化する場合がある。
【００３２】
また、制御装置２３は、時間の経過によって時間帯が代わると、その時間帯に応じた上限電力を越えない範囲で分配電力値を、再度算出し、充電装置２５へ指示する。これにより、充電を行っている充電装置２５が供給可能な電力は、時間の経過によって変化する場合がある。
【００３３】
また、制御装置２３は、電力計２８の情報をもとに充電ステーション２０全体で実際に供給している電力を算出し、その算出した電力の情報を充電システム１０の管理装置１３へ送信する。管理装置１３は、受信した電力の情報から充電ステーション２０における電力需要の傾向を取得し、電力価格スケジュールに反映させる。つまり、管理装置１３は、充電ステーション２０における電力需要の傾向に沿った電力価格スケジュールを算出し、充電ステーション２０へ分配される電力の適正を図り得る。なお、管理装置１３は、電力価格スケジュールを算出した場合、その電力価格スケジュールを都度、充電ステーション２０の制御装置２３に送信しても良いし、次回の送信時期に送信しても良い。
【００３４】
したがって、本実施形態によれば、以下に示す効果を得ることができる。
（１）充電ステーション２０の制御装置２３は、電力価格スケジュールを変換した電力供給スケジュールにしたがうように、充電装置２５へ分配する電力の制御を行う。このため、系統電力を複数の需要先１２ａ〜１２ｄで共有する場合において、充電ステーション２０に供給される電力の占める割合が極端に大きくなるような事態の発生を抑制できる。したがって、安定した電力の供給に貢献できる。
【００３５】
（２）つまり、電力価格が高い時間帯は、充電システム１０全体における電力需要も多い時間帯であることから、充電ステーション２０全体で供給可能な電力を少なくする。これにより、充電システム１０が供給可能な最大の電力において充電ステーション２０が占める割合を低下させ、安定した電力の供給に寄与し得る。充電システム１０が供給可能な最大の電力は、例えば電力会社など電力を供給する側との需給契約によって定められる。
【００３６】
（３）一方、電力価格が低い時間帯は、充電システム１０全体における電力需要も少ない時間帯であることから、充電ステーション２０全体で供給可能な電力を多くすることによって充電に必要なコストを低下させることが可能である。
【００３７】
（４）また、電力価格スケジュールにしたがって充電ステーション２０全体で供給可能な電力を制御するので、例えば電力需要が急激に増加した場合などでも、その電力需要の傾向に柔軟に対応し得るシステムを提供することができる。
【００３８】
（５）また、充電ステーション２０の制御装置２３において電力価格スケジュールを電力供給スケジュールに変換することで、充電ステーション２０が主導となって供給可能な電力の制御を行うことができる。
【００３９】
（６）充電ステーション２０の制御装置２３は、実際に供給した電力の情報を管理装置１３に送信し、管理装置１３は、受信した電力の情報をもとに電力価格スケジュールを新たに算出する。このため、系統電力を複数の需要先１２ａ〜１２ｄで共有する場合において実際の電力需要の傾向に応じた電力の分配を行うことができる。
【００４０】
なお、上記実施形態は以下のように変更してもよい。
○  実施形態の構成によれば、時間帯毎に電力価格や供給される電力が変動することになるので、同じ量を充電する場合であっても、利用者が負担する電力料金に差が生じることになる。このため、充電装置２５に電力料金を設定する手段を設け、利用者が設定した電力料金に達したことを契機に充電を停止させるようにしても良い。この制御は、充電装置２５で行っても良いし、制御装置２３で行っても良い。例えば、充電装置２５で行う場合、充電装置２５は、電力価格と供給した電力から電力料金を算出し、その電力料金が設定された電力料金に達すると、電力の供給を機械的又は電気的に停止させ、充電を終了させる。また、制御装置２３で行う場合、制御装置２３は、電力価格と供給した電力から電力料金を算出し、その電力料金が設定された電力料金に達すると、充電装置２５に対して充電終了信号を送信し、充電装置２５が電力の供給を機械的又は電気的に停止させ、充電を終了させる。この構成によれば、電力価格スケジュールに応じて時間帯毎の電力価格が変動する場合であっても、利用者の利便性を図った充電の制御を行うことができる。また、同じ量で充電を行う場合において、時間帯に応じて利用者の負担（電力料金）が極端に変化するなどの事態が発生することを抑制できる。
【００４１】
○  また、実施形態の構成によれば、時間帯毎に電力価格や供給される電力が変動することになるので、利用者に対して充電に要する時間や電力料金を提示させるようにしても良い。この提示は、充電装置２５に表示装置などを設けて行うと良い。また、時間や電力料金の算出は、充電装置２５で行っても良いし、制御装置２３で行っても良い。なお、時間や電力料金を提示する場合は、電気車両２１の車種毎に蓄電池２２の容量を制御装置２３又は充電装置２５に記憶しておく。また、利用者は、充電装置２５などに設けられている入力装置を用いて車種を入力する。そして、制御装置２３又は充電装置２５は、車種から蓄電池２２の容量を算出し、その蓄電池２２を満充電するために必要な時間や電力料金を、電力価格スケジュールや電力供給スケジュールをもとに算出し、提示させる。この構成によれば、充電を行うか否かの判断を利用者に促すことができる。このため、利用者の利便性の向上を図ることができる。
【００４２】
○  充電システム１０を構成する需要先の全てが充電ステーション２０であっても良い。この場合において、充電ステーション２０は、公共施設（教育機関、公民館など）、商業施設（宿泊施設、ショッピング施設など）、又は家庭用の設備でも良い。
【００４３】
○  充電システム１０を構成する需要先に複数の充電ステーション２０を含む場合において、何れか１つの充電ステーション２０に主制御装置を備えるとともに、他の充電ステーション２０に副制御装置を備え、主制御装置からの指示によって副制御装置が各々の充電ステーション２０における電力を制御しても良い。例えば、主制御装置は、管理装置１３から送信された電力価格スケジュールを電力供給スケジュールに変換し、各充電ステーション２０へ分配する電力を各充電ステーション２０の副制御装置へ送信する。そして、各充電ステーション２０の副制御装置は、主制御装置から送信された電力値をもとに電力を制御する。
【００４４】
○  また、充電システム１０に複数の充電ステーション２０を含む場合、各充電ステーション２０に制御装置２３を設け、管理装置１３と各制御装置２３の間に各制御装置２３を統括的に制御する統括装置を配置させても良い。そして、統括装置は、管理装置１３から送信された電力価格スケジュールを電力供給スケジュールに変換し、各充電ステーション２０へ分配する電力を各充電ステーション２０の制御装置２３へ送信する。
【００４５】
○  充電システム１０を構成する需要先として、充電ステーション２０に加えて、企業の工場、ショッピングセンターなどの商業施設などを含んでも良い。
○  充電ステーション２０の制御装置２３は、電力によって制御を行っているが、電流によって制御を行っても良い。
【００４６】
○  実施形態において、充電装置２５は、充電プラグ２４を電気車両２１に機械的に接続して充電を行う構成に具体化したが、充電プラグ２４を使用せずに、車両と充電部（地上側設備）を電気的に接続して充電を行う非接触式の充電装置に具体化しても良い。非接触式の充電装置では、車両に取り付けられた受電側コイルと、充電ステーションなどの床に埋設された地上側設備の送電側コイルと、を整合させるようにして電気車両を停車させる。このとき、受電側コイルと送電側コイルは、離間して非接触の状態とされる。この状態において非接触式の充電装置は、車両と充電部が通電可能な状態で接続される。そして、非接触式の充電システムでは、送電側コイルからの電力を受電側コイルで受電することにより、電気車両の蓄電池に充電が行われる。このような非接触式の充電装置の方式には、共鳴方式や電磁誘導方式がある。
【符号の説明】
【００４７】
１０…充電システム、１１…電力系統、１２ａ〜１２ｄ…需要先、１３…管理装置、１４ａ，１４ｂ…電力供給先、１６…通信回線、２０…充電ステーション、２１…電気車両、２２…蓄電池、２３…制御装置、２５…充電装置、２６…通信部、Ｘ１〜Ｘ４８…電力価格。
【図１】
2015122868.tif 000003
【図２】
2015122868.tif 000004
【図３】
2015122868.tif 000005
【図４】
2015122868.tif 000006
【図５】
2015122868.tif 000007